(57)【要約】  ドレッシングにＲＦＩＤ装置を使用して、リモートベースユニットに圧力データまたは他のデータを提供することを含む、システム、方法、およびドレッシングが提供される。ドレッシングは対話型ドレッシングである。ドレッシングにおける減圧が監視され、かつ減圧の制御供給に使用され得る。一例では、各ドレッシングにおける圧力データによって、単一のリモートベースユニットのままで複数の組織部位を監視かつ使用することが可能となる。別の例では、減圧ドレッシングとリモートベースユニットとの適切な組み合わせを保証する装置および方法も提供される。他のシステム、方法、およびドレッシングが提供される。【選択図】図１
2014500739.tif 000002
【特許請求の範囲】
【請求項１】
減圧によって少なくとも１つの組織部位を治療する方法において、前記方法が：
第１の組織部位に近接して第１の無線減圧ドレッシングを配置するステップであって、前記第１の無線減圧ドレッシングが：
前記組織部位に隣接して配置され、かつ前記組織部位に減圧をもたらす分配マニホールド、
前記分配マニホールドの少なくとも一部分を覆うシール部材、
第１のプロセッサ、
前記第１のプロセッサに結合されたＲＦＩＤアンテナ、および
前記第１のプロセッサに結合された第１のセンサであって、圧力センサを含む第１のセンサ
を含むステップと；
ＲＦＩＤリーダを含むリモートベースユニットを提供するステップと；
前記分配マニホールドに減圧をもたらすステップと；
前記ＲＦＩＤリーダから前記第１の無線減圧ドレッシングへ第１の圧力問合せ信号を送信するステップと；
前記第１の圧力問合せ信号に応答して、前記第１の無線減圧ドレッシングから第１の圧力メッセージ信号を受信するステップと；
を含み、
前記減圧供給導管に圧力感知ルーメンを必要とせずに、前記第１の圧力メッセージ信号が、前記ＲＦＩＤアンテナによって前記リモートベースユニットへ無線で送信されることを特徴とする、方法。
【請求項２】
請求項１に記載の方法において、前記第１の圧力メッセージ信号が（絶対圧の尺度で）目標圧力を上回るかどうか判断するステップと、前記目標圧力を上回る場合、前記減圧源を作動させ、かつ（絶対圧の尺度で）前記目標圧力を下回る場合、前記減圧源の動作を停止させるステップとをさらに含むことを特徴とする、方法。
【請求項３】
請求項１または２に記載の方法において、
第２の組織部位に隣接して第２の無線減圧ドレッシングを配置するステップと；
前記ＲＦＩＤリーダから前記第２の無線減圧ドレッシングへ第２の圧力問合せ信号を送信するステップと；
前記第２の圧力問合せ信号に応答して、前記第２の無線減圧ドレッシングから第２の圧力メッセージ信号を受信するステップと
をさらに含むことを特徴とする、方法。
【請求項４】
請求項１または請求項１乃至３の何れか１項に記載の方法において、前記第１のプロセッサに結合された第２のセンサをさらに含み、前記第２のセンサが温度センサを含むことを特徴とする、方法。
【請求項５】
減圧によって少なくとも１つの組織部位を治療するシステムにおいて、
前記組織部位に近接して配置される第１の無線減圧ドレッシングであって、
分配マニホールド、
前記分配マニホールドの少なくとも一部分を覆うシール部材、
ＲＦＩＤアンテナ、
前記ＲＦＩＤアンテナに結合された第１のプロセッサ、および
前記第１のプロセッサに結合された第１のセンサ
を含む第１の無線減圧ドレッシングと；
ＲＦＩＤリーダおよび前記ＲＦＩＤリーダに結合された第２のプロセッサを含むリモートベースユニットと；
前記分配マニホールドに流体的に結合された減圧源と
を含むことを特徴とする、システム。
【請求項６】
請求項５に記載されたシステムにおいて、前記第１のセンサが圧力センサであることを特徴とする、システム。
【請求項７】
請求項６に記載されたシステムにおいて、前記第１の無線減圧ドレッシングが：温度センサ、ｐＨセンサ、湿度センサ、揮発性有機化合物センサ、血液センサ、および成長因子センサからなる群から選択される第２のセンサをさらに含むことを特徴とする、システム。
【請求項８】
請求項５または６または７に記載されたシステムにおいて、前記減圧源が前記リモートベースユニットに結合されており、前記リモートベースユニットが、前記減圧源に圧力制御信号を供給するように適合されていることを特徴とする、システム。
【請求項９】
請求項５または請求項６乃至８の何れか１項に記載されたシステムにおいて、前記減圧源および前記リモートベースユニットが統合治療ユニットを含むことを特徴とする、システム。
【請求項１０】
請求項５または請求項６乃至９の何れか１項に記載されたシステムにおいて、前記第２のプロセッサが、ＩＤ信号を受信しかつ前記ＩＤ信号が承認済みレッシングを表すかどうかを判断するように適合されていることを特徴とする、システム。
【請求項１１】
請求項５または請求項６乃至１０の何れか１項に記載されたシステムにおいて、前記減圧源が、前記分配マニホールドに隣接してマイクロポンプを含むことを特徴とする、システム。
【請求項１２】
請求項５または請求項６乃至１１の何れか１項に記載されたシステムにおいて、前記第１の無線減圧ドレッシングがバッテリーを含まないことを特徴とする、システム。
【請求項１３】
請求項５に記載されたシステムにおいて、前記第１の無線減圧ドレッシングが、第１の組織部位に隣接し、かつ第２の組織部位に隣接した第２の無線減圧ドレッシングをさらに含むことを特徴とする、システム。
【請求項１４】
減圧によって組織部位を治療する無線減圧ドレッシングにおいて、
前記組織部位に隣接して配置され、かつ前記組織部位に減圧をもたらす分配マニホールドと；
前記分配マニホールドの少なくとも一部分を覆うシール部材と；
第１のプロセッサと；
前記第１のプロセッサに結合されたＲＦＩＤアンテナと；
前記第１のプロセッサに結合された第１のセンサであって、圧力センサを含む第１のセンサと
を含むことを特徴とする、無線減圧ドレッシング。
【請求項１５】
請求項１４に記載の無線減圧ドレッシングにおいて、前記第１のプロセッサに結合された第２のセンサをさらに含み、前記第２のセンサが：温度センサ、ｐＨセンサ、湿度センサ、揮発性有機化合物センサ、血液センサ、および成長因子センサからなる群から選択されることを特徴とする、無線減圧ドレッシング。
【請求項１６】
減圧によって少なくとも１つの組織部位を治療する方法において、
第１の組織部位に近接して第１の無線減圧ドレッシングを配置するステップであって、前記第１の無線減圧ドレッシングが：
前記組織部位に隣接して配置され、かつ前記組織部位に減圧をもたらす分配マニホールド、
前記分配マニホールドの少なくとも一部分を覆うシール部材、
第１のプロセッサ、
前記第１のプロセッサに結合されたＲＦＩＤアンテナ、
前記第１のプロセッサに結合された第１のセンサであって、圧力センサを含む第１のセンサ
を含むステップと；
ＲＦＩＤリーダを含むリモートベースユニットを提供するステップであって、前記リモートベースユニットが、前記ＲＦＩＤリーダに結合された第２のプロセッサを含むステップと；
前記分配マニホールドに減圧源を流体的に結合するステップと；
前記リモートベースユニットから前記第１の無線減圧ドレッシングにＩＤ問合せ信号を送信するステップと；
前記第１の無線減圧ドレッシングにおいて前記ＩＤ問合せ信号を受信してＩＤメッセージ信号を生成するステップと；
前記第１の無線減圧ドレッシングから前記リモートベースユニットへ前記ＩＤメッセージ信号を送信するステップと；
前記リモートベースユニットにおいて前記ＩＤメッセージ信号を受信するステップと；
前記ＩＤメッセージ信号が承認済みリストにあるドレッシングを表すかどうか判断するステップと；
前記ＩＤメッセージ信号が前記承認済みリストにあるドレッシングを表す場合には、前記減圧源を作動させて前記分配マニホールドに減圧をもたらすステップ、または前記ＩＤメッセージ信号が前記承認済みリストにないドレッシングを表す場合には、エラーを示すステップと
を含むことを特徴とする、方法。
【請求項１７】
請求項１６に記載の方法において、
前記第１の無線減圧ドレッシングが：
前記分配マニホールドの一部分を覆う膜であって、初めは閉鎖している膜と、
前記膜に近接し、かつ前記膜を閉鎖状態から非閉鎖状態に変化させるように適合され、かつ前記第１のプロセッサに結合されている解除要素と
をさらに含み、
前記方法が：
前記リモートベースユニットから前記第１の無線減圧ドレッシングへ活性化信号を送信し、その結果、前記第１のプロセッサが前記解除要素を活性化して、前記膜を前記非閉鎖状態に変化させるステップと、
前記減圧源から前記分配マニホールドへ減圧をもたらすステップと
をさらに含むことを特徴とする、方法。
【請求項１８】
減圧によって少なくとも１つの組織部位を治療するシステムにおいて、前記システムが：
前記組織部位に近接して配置される第１の無線減圧ドレッシングであって、
分配マニホールド、
前記分配マニホールドの少なくとも一部分を覆うシール部材、
前記分配マニホールドに減圧をもたらす減圧インターフェース、
第１のＲＦＩＤアンテナ、
前記第１のＲＦＩＤアンテナに結合された第１のプロセッサ、
前記第１のプロセッサに結合された第１のセンサ、
初めは閉鎖している膜であって、前記減圧インターフェースの少なくとも一部分を覆い、かつ前記閉鎖状態にあるときには、流体の流れを妨げるように適合されている膜、
前記膜に近接した解除要素であって、活性化されると、前記膜を閉鎖状態から非閉鎖状態に変化させるように動作可能な解除要素、
を含む第１の無線減圧ドレッシングと；
ＲＦＩＤリーダおよび第２のプロセッサを含むリモートベースユニットと；
前記分配マニホールドに流体的に結合された減圧源と；
を含み、
前記第２のプロセッサが、前記ＲＦＩＤリーダから前記第１の無線減圧ドレッシングへ活性化信号を送信するように構成されており、前記活性化信号に応答して、前記第１のプロセッサが前記解除要素に電力を供給して、前記膜を前記閉鎖状態から前記非閉鎖状態へ変化させるように構成されており；
前記第２のプロセッサが、前記ＲＦＩＤリーダによって前記第１の無線減圧ドレッシングへＩＤ問合せ信号を送信するように構成されており、かつ、前記ＩＤ問合せ信号に応答して、前記第１のプロセッサが、前記第１のＲＦＩＤアンテナによってＩＤメッセージ信号を送信するように構成されており；および
前記第２のプロセッサが、前記ＲＦＩＤリーダを介して前記ＩＤメッセージ信号を受信しかつ前記ＩＤメッセージ信号が容認可能なドレッシングのリストにあるドレッシングを表すかどうかを判断するように適合されていることを特徴とする、システム。
【請求項１９】
減圧によって組織部位を治療するシステムにおいて、
無線減圧ドレッシングであって：
分配マニホールド、
前記分配マニホールドを覆うシール部材、
減圧インターフェース、および
前記無線減圧ドレッシングに関連付けられたＷＩＳＰ装置
を含む無線減圧ドレッシングと；
前記ＷＩＳＰ装置と通信するためにＲＦＩＤリーダを含むリモートベースユニットと；
前記無線減圧ドレッシングに流体的に結合された減圧源と
を含むことを特徴とする、システム。
【請求項２０】
減圧によって少なくとも１つの組織部位を治療する方法において、
第１の組織部位に近接して第１の無線減圧ドレッシングを配置するステップであって、前記第１の無線減圧ドレッシングが：
前記組織部位に隣接して配置され、かつ前記組織部位に減圧をもたらす分配マニホールド、
前記分配マニホールドの少なくとも一部分を覆うシール部材、
減圧インターフェース、
初めは閉鎖している膜であって、前記減圧インターフェースの少なくとも一部分を覆い、かつ前記閉鎖状態にあるときには、流体の流れを妨げるように適合されている膜、
第１のプロセッサ、
前記第１のプロセッサに結合されたＲＦＩＤアンテナ、
前記第１のプロセッサに結合された第１のセンサであって、圧力センサを含む第１のセンサ、
前記膜に近接した解除要素であって、活性化されると、前記膜を閉鎖状態から非閉鎖状態へ変化させるように動作可能であり、かつ前記第１のプロセッサに結合されている解除要素
を含むステップと、
ＲＦＩＤリーダを含むリモートベースユニットを提供するステップであって、前記リモートベースユニットが第２のプロセッサを含むステップと；
前記減圧インターフェースに流体的に結合された減圧源を提供するステップと；
前記リモートベースユニットから前記第１の無線減圧ドレッシングへ活性化信号を送信し、その結果、前記第１のプロセッサが前記解除要素を活性化させて、前記膜を前記非閉鎖状態に変化させるステップと、
前記減圧源から前記減圧インターフェースへ減圧をもたらし、それにより、前記非閉鎖状態が前記分配マニホールドへの流体の流れを可能にするステップと
を含むことを特徴とする、方法。
【請求項２１】
少なくとも１つの組織部位を治療するシステムにおいて、
前記組織部位に近接して配置される第１の無線減圧ドレッシングであって：
シール部材、
ＲＦＩＤアンテナ、
前記ＲＦＩＤアンテナに結合された第１のプロセッサ、および
前記第１のプロセッサに結合された第１のセンサ
を含む第１の無線減圧ドレッシングと；
ＲＦＩＤリーダおよび前記ＲＦＩＤリーダに結合された第２のプロセッサを含むリモートベースユニットと
を含むことを特徴とする、システム。
【請求項２２】
請求項２１に記載されたシステムにおいて、前記第１のセンサが圧力センサであることを特徴とする、システム。
【請求項２３】
請求項２１または２２に記載のシステムにおいて、前記第１の無線減圧ドレッシングが：温度センサ、ｐＨセンサ、湿度センサ、揮発性有機化合物センサ、血液センサ、および成長因子センサからなる群から選択される第２のセンサをさらに含むことを特徴とする、システム。
【請求項２４】
請求項２１または請求項２２乃至２３の何れか１項に記載されたシステムにおいて、前記減圧源が前記リモートベースユニットに結合されており、前記リモートベースユニットが、前記減圧源に圧力制御信号を供給するように適合されていることを特徴とする、システム。
【請求項２５】
請求項２１または請求項２２乃至２４の何れか１項に記載されたシステムにおいて、前記減圧源および前記リモートベースユニットが統合治療ユニットを含むことを特徴とする、システム。
【請求項２６】
請求項２１または請求項２２乃至２５の何れか１項に記載されたシステムにおいて、前記第２のプロセッサが、ＩＤ信号を受信しかつ前記ＩＤ信号が承認済みレッシングを表すかどうかを判断するように適合されていることを特徴とする、システム。
【請求項２７】
請求項２１または請求項２２乃至２６の何れか１項に記載されたシステムにおいて、前記第１の無線減圧ドレッシングがバッテリーを含まないことを特徴とする、システム。
【請求項２８】
請求項２１または請求項２２乃至２７の何れか１項に記載されたシステムにおいて、前記第１の無線減圧ドレッシングが、第１の組織部位に隣接し、かつ第２の組織部位に隣接した第２の無線減圧ドレッシングをさらに含むことを特徴とする、システム。
【請求項２９】
組織部位で使用するための無線減圧ドレッシングにおいて、
前記組織部位の少なくとも一部分を覆うシール部材と；
第１のプロセッサと；
前記第１のプロセッサに結合されたＲＦＩＤアンテナと；
前記第１のプロセッサに結合された第１のセンサと
を含むことを特徴とする、無線減圧ドレッシング。
【請求項３０】
請求項２９に記載の無線減圧ドレッシングにおいて、前記第１のセンサが圧力センサを含むことを特徴とする、無線減圧ドレッシング。
【請求項３１】
請求項２９または３０に記載の無線減圧ドレッシングにおいて、前記第１のプロセッサに結合された第２のセンサをさらに含み、前記第２のセンサが：温度センサ、ｐＨセンサ、湿度センサ、揮発性有機化合物センサ、血液センサ、および成長因子センサからなる群から選択されることを特徴とする、無線減圧ドレッシング。
【請求項３２】
請求項２９または請求項３０乃至３１の何れか１項に記載の無線減圧ドレッシングにおいて、分配マニホールドをさらに含むことを特徴とする、無線減圧ドレッシング。
【請求項３３】
請求項３２または請求項３０乃至３２の何れか１項に記載の無線減圧ドレッシングにおいて、前記減圧ドレッシングに流体的に結合された減圧源をさらに含むことを特徴とする、無線減圧ドレッシング。
【発明の詳細な説明】
【技術分野】
【０００１】
関連出願の相互参照
本発明は、３５ＵＳＣ§１１９（ｅ）下において、２０１０年１０月２７日出願の米国仮特許出願第６１／４０７，１９４号（「Ｓｙｓｔｅｍ  ａｎｄ  Ｍｅｔｈｏｄｓ  Ｆｏｒ  Ｅｌｅｃｔｒｉｃａｌｌｙ  Ｄｅｔｅｃｔｉｎｇ  Ｔｈｅ  Ｐｒｅｓｅｎｃｅ  ｏｆ  Ｅｘｕｄａｔｅ  Ｉｎ  Ｒｅｄｕｃｅｄ−Ｐｒｅｓｓｕｒｅ  Ｄｒｅｓｓｉｎｇｓ」）（あらゆる点において本願明細書に援用する）［ＶＡＣ．０９７５ＰＲＯ１］；２０１０年１２月１日出願の米国仮特許出願第６１／４１８，７３０号（「Ｓｙｓｔｅｍｓ  ａｎｄ  Ｍｅｔｈｏｄｓ  ｆｏｒ  Ｅｌｅｃｔｒｉｃａｌｌｙ  Ｄｅｔｅｃｔｉｎｇ  ｔｈｅ  Ｐｒｅｓｅｎｃｅ  ｏｆ  Ｅｘｕｄａｔｅ  ｉｎ  Ｄｒｅｓｓｉｎｇｓ」）（あらゆる点において本願明細書に援用する）［ＶＡＣ．０９７５ＰＲＯ２］；２０１１年２月２２日出願の米国仮特許出願第６１／４４５，３８３号（「Ｉｎｔｅｒａｃｔｉｖｅ，  Ｗｉｒｅｌｅｓｓ  Ｒｅｄｕｃｅｄ−Ｐｒｅｓｓｕｒｅ  Ｄｒｅｓｓｉｎｇｓ，  Ｍｅｔｈｏｄｓ，  ａｎｄ  Ｓｙｓｔｅｍｓ」）（あらゆる点において本願明細書に援用する）［ＶＡＣ．０９９９ＰＲＯ］；および２０１１年２月２２日出願の米国仮特許出願第６１／４４５，３３８号（「Ｒｅｄｕｃｅｄ−Ｐｒｅｓｓｕｒｅ  Ｓｙｓｔｅｍｓ，  Ｄｒｅｓｓｉｎｇｓ，  ａｎｄ  Ｍｅｔｈｏｄｓ  Ｅｍｐｌｏｙｉｎｇ  ａ  Ｗｉｒｅｌｅｓｓ  Ｐｕｍｐ」）［ＶＡＣ．１０００ＰＲＯ］（あらゆる点において本願明細書に援用する）の利益を主張する。
【０００２】
本開示は、概して、治療システムに関し、より詳細には、限定するものではないが、減圧と共に使用する対話型無線ドレッシング、方法、およびシステムに関する。
【背景技術】
【０００３】
臨床試験および実習において、組織部位に近接して減圧をもたらすことによって、組織部位における新しい組織の増殖を増強および加速することが示されている。この現象の適用は多数あるが、減圧を行うことは、創傷の治療においてかなり成功している。この治療（医学界では「陰圧閉鎖療法」、「減圧療法」、または「真空療法」と呼ばれることが多い）は、いくつもの利点を提供し、それら利点には、迅速な治癒、および肉芽組織の形成加速化が含まれ得る。一般に、減圧は、開放創に行われるとき、多孔質パッドまたは他のマニホールド装置を通して組織に行われる。多孔質パッドは、減圧を組織に分配し、および組織から引き出された流体を運ぶ。時には、患者は、多数の部位での治療を必要とする大きな創傷を有することがあり、あるいは治療を必要とする複数の組織部位を有する場合がある。時には、減圧はまた、とりわけ、流体を除去するために体洞内で使用されてもよい場合がある。
【発明の概要】
【０００４】
説明に役立つ実施形態によれば、減圧によって少なくとも１つの組織部位を治療するシステムは、組織部位に近接して配置する第１の無線減圧ドレッシングを含む。第１の無線減圧ドレッシングは、分配マニホールドと、分配マニホールドの少なくとも一部分を覆うドレープと、無線周波数認証（ＲＦＩＤ：Ｒａｄｉｏ  Ｆｒｅｑｕｅｎｃｙ  Ｉｄｅｎｔｉｆｉｃａｔｉｏｎ）アンテナと、ＲＦＩＤアンテナに結合された第１のプロセッサと、第１のプロセッサに結合された第１のセンサとを含む。システムはまた、リモートベースユニットおよび減圧源を含む。減圧源は、分配マニホールドに流体的に結合されている。リモートベースユニットは、ＲＦＩＤアンテナおよび第２のプロセッサを含む。
【０００５】
別の説明に役立つ実施形態によれば、減圧によって組織部位を治療する無線減圧ドレッシングは、組織部位に隣接して配置されかつ組織部位に減圧をもたらす分配マニホールドと、分配マニホールドの少なくとも一部分を覆うドレープと、第１のプロセッサと、第１のプロセッサに結合されたＲＦＩＤアンテナと、第１のプロセッサに結合された第１のセンサとを含む。第１のセンサは圧力センサとし得る。
【０００６】
別の説明に役立つ実施形態によれば、減圧によって少なくとも１つの組織部位を治療する方法は、第１の組織部位に近接して第１の無線減圧ドレッシングを配置するステップを含む。第１の無線減圧ドレッシングは、組織部位に隣接して配置されかつ組織部位に減圧をもたらす分配マニホールドと、分配マニホールドの少なくとも一部分を覆うドレープと、第１のプロセッサと、第１のプロセッサに結合されたＲＦＩＤアンテナと、第１のプロセッサに結合された第１のセンサとを含む。第１のセンサは圧力センサである。この方法は、ＲＦＩＤリーダを有するリモートベースユニットを提供するステップと、分配マニホールドに減圧をもたらすステップと、ＲＦＩＤリーダから第１の無線減圧ドレッシングへ圧力問合せ信号を送信するステップと、第１の無線減圧ドレッシングから圧力メッセージ信号を受信するステップとをさらに含む。
【０００７】
別の説明に役立つ実施形態によれば、減圧によって少なくとも１つの組織部位を治療する方法は、第１の組織部位に近接して第１の無線減圧ドレッシングを配置するステップを含む。第１の無線減圧ドレッシングは、組織部位に隣接して配置されかつ組織部位に減圧をもたらす分配マニホールドと、分配マニホールドの少なくとも一部分を覆うドレープと、第１のプロセッサと、第１のプロセッサに結合されたＲＦＩＤアンテナと、第１のプロセッサに結合された第１のセンサとを含む。第１のセンサは圧力センサとし得る。この方法は、ＲＦＩＤリーダを有するリモートベースユニットを提供するステップをさらに含む。リモートベースユニットはまた、ＲＦＩＤリーダに結合された第２のプロセッサを含む。この方法は、減圧源を提供するステップと；リモートベースユニットから第１の無線減圧ドレッシングにＩＤ問合せ信号を送信するステップと；第１の無線減圧ドレッシングにおいてＩＤ問合せ信号を受信してＩＤメッセージ信号を生成するステップと；第１の無線減圧ドレッシングからリモートベースユニットへＩＤメッセージ信号を送信するステップと；リモートベースユニットにおいてＩＤメッセージ信号を受信するステップと；ＩＤメッセージ信号が承認済みリストにあるかどうか判断するステップと；ＩＤメッセージ信号が、承認済みリストにあるドレッシングを表す場合には、減圧源を作動させて分配マニホールドに減圧をもたらすステップ、またはＩＤメッセージ信号が、承認済みリストにないドレッシングを表す場合には、エラーを示すステップとをさらに含む。
【０００８】
別の説明に役立つ実施形態によれば、減圧によって少なくとも１つの組織部位を治療するシステムは、組織部位に近接して配置される第１の無線減圧ドレッシングを含む。第１の無線減圧ドレッシングは、分配マニホールドと、分配マニホールドの少なくとも一部分を覆うドレープと、分配マニホールドに減圧をもたらす減圧インターフェースと、第１のＲＦＩＤアンテナと、第１のＲＦＩＤアンテナに結合された第１のプロセッサと、第１のプロセッサに結合された第１のセンサと、膜とを含む。膜は、減圧インターフェースの少なくとも一部分を覆い、かつ、初めは、減圧インターフェースを通る流体の流れを妨げるまたは防止する閉鎖状態にある。第１の無線減圧ドレッシングは、膜に近接しかつ膜を閉鎖状態から非閉鎖状態へ変化させるように適合された解除要素をさらに含む。非閉鎖状態に変化したら、膜は、減圧インターフェースを通る流れを可能にする。システムは、ＲＦＩＤリーダおよび第２のプロセッサを含むリモートベースユニットをさらに含む。システムはまた、分配マニホールドに流体的に結合された減圧源を含む。第２のプロセッサは、ＲＦＩＤリーダによって第１の無線減圧ドレッシングに活性化信号を送信するように構成されており、かつ、活性化信号に応答して、第１のプロセッサは解除要素に電力を供給して、膜を閉鎖状態から非閉鎖状態へ変化させるように構成されている。第２のプロセッサは、ＲＦＩＤリーダによって第１の無線減圧ドレッシングへＩＤ問合せ信号を送信するように構成されており、かつ、ＩＤ問合せ信号に応答して、第１のプロセッサは、第１のＲＦＩＤアンテナによってＩＤメッセージ信号を送信するように構成されている。第２のプロセッサは、ＲＦＩＤリーダを介してＩＤメッセージ信号を受信しかつＩＤメッセージ信号が容認可能なドレッシングを表すかどうか判断するように適合される。
【０００９】
別の説明に役立つ実施形態によれば、減圧によって組織部位を治療するシステムは、分配マニホールドを含む無線減圧ドレッシングと、分配マニホールドを覆うドレープと、減圧インターフェースとを含む。システムはまた、無線減圧ドレッシングに関連付けられたＷＩＳＰ装置と、ＲＦＩＤリーダを含むリモートベースユニットと、無線減圧ドレッシングに流体的に結合された減圧源とを含む。
【００１０】
別の説明に役立つ実施形態によれば、減圧によって少なくとも１つの組織部位を治療する方法は、第１の組織部位に近接して第１の無線減圧ドレッシングを配置するステップを含む。第１の無線減圧ドレッシングは、組織部位に隣接して配置されかつ組織部位に減圧をもたらす分配マニホールドと、分配マニホールドの少なくとも一部分を覆うドレープと、減圧インターフェースと、膜とを含む。膜は、初めは閉鎖しており、かつ減圧インターフェースの少なくとも一部分を覆っている。膜は、閉鎖状態にあるときに、減圧インターフェースを通る流体の流れを妨げるように適合されている。第１の無線減圧ドレッシングはまた、第１のプロセッサと、第１のプロセッサに結合されたＲＦＩＤアンテナと、第１のプロセッサに結合された第１のセンサと、膜に近接し、かつ、活性化されると、膜を閉鎖状態から非閉鎖状態へ変化させるように動作可能な解除要素とを含む。第１のセンサは圧力センサである。解除要素は第１のプロセッサに結合される。この方法は、ＲＦＩＤリーダを有するリモートベースユニットを提供するステップをさらに含む。リモートベースユニットは第２のプロセッサを含む。この方法はまた、減圧インターフェースに流体的に結合された減圧源を提供するステップと、リモートベースユニットから第１の無線減圧ドレッシングへ活性化信号を送信し、その結果、第１のプロセッサが解除要素を活性化して膜を非閉鎖状態に変化させるステップと、減圧源から減圧インターフェースへ減圧をもたらすステップとを含む。
【００１１】
説明に役立つ実施形態の他の特徴、および利点は、以下の図面および詳細な説明を参照することにより明らかとなる。
【図面の簡単な説明】
【００１２】
【図１】図１は、減圧によって少なくとも１つの組織部位を治療するシステムの説明に役立つ実施形態の一部分を断面で示す概略図である。
【図２】図２は、図１のシステムの第１の無線減圧ドレッシングの概略的な上面図である。
【図３】図３は、減圧によって少なくとも１つの組織部位を治療するシステムの説明に役立つ実施形態の一部分を断面で示す概略図である。
【図４】図４は、第１の無線減圧ドレッシングの説明に役立つ実施形態の概略的な上面図である。
【図５】図５は、減圧によって少なくとも１つの組織部位を治療するシステムの説明に役立つ実施形態の一部分を断面で示す概略図である。
【図６Ａ】図６Ａは、減圧によって少なくとも１つの組織部位を治療するシステムのためのプロセスの流れ図の説明に役立つ実施形態である。
【図６Ｂ】図６Ｂは、減圧によって少なくとも１つの組織部位を治療するシステムのためのプロセスの流れ図の説明に役立つ実施形態である。
【発明を実施するための形態】
【００１３】
以下の説明に役立つ実施形態の詳細な説明において、本明細書の一部をなす添付図面を参照する。これらの実施形態は、当業者が本発明を実施できるようにするのに十分な程度、詳細に説明し、および、本発明の趣旨または範囲から逸脱せずに、他の実施形態を使用し得ること、および論理的な構造上の、機械的な、電気的なおよび化学的な変更がなされ得ることが理解される。当業者が、本明細書で説明する実施形態を実施できるようにするのに必要ではない詳細を避けるために、説明では、当業者に公知の特定の情報を省略し得る。以下の詳細な説明は、限定的ととられるべきではなく、説明に役立つ実施形態の範囲は、添付の特許請求の範囲によってのみ定義される。
【００１４】
減圧を用いる患者の１つまたは複数の組織部位の治療では、一般に減圧を治療域に維持することが望ましい。組織部位に行われる減圧の量および性質は、一般に適用に応じて変動するが、減圧は、一般に、−５ｍｍ  Ｈｇ〜−５００ｍｍ  Ｈｇ、より典型的には−７５ｍｍ  Ｈｇ〜−３００ｍｍ  Ｈｇ、さらにより典型的には、−１００〜−２００ｍｍ  Ｈｇである。場合によっては、組織部位に対して減圧を行うことができなかったことにより、深刻な結果を引き起こすことがある。それゆえ、治療中の各組織部位における圧力を監視することが望ましいとし得る。
【００１５】
複数の組織部位、例えば複数の創傷に対応するために、複数の導管を使用して減圧を供給してもよい。例えば、単一の減圧源を、１つの導管から分岐した複数の導管と共に使用し得る。現在のところ、圧力監視装置は、一般に既存の減圧源に配置され、および唯一つの導管で減圧源との圧力の伝達を行っている。１つの組織部位と関連付けられた１つの導管のみを監視する場合、減圧源においてのみ監視が行われる場合のように、他の組織部位における圧力は監視されない。本明細書の説明に役立つ実施形態の少なくともいくつかでは、複数の組織部位の各組織部位が監視されて、減圧供給の問題が特定され、しかも対処され得る。さらに、他のパラメータを監視して、組織部位の治癒の経過を追跡しても、またはその成果を同定してもよい。
【００１６】
減圧を開放創の治療に使用して、肉芽組織の生成を促進させてもよい。減圧はまた、患者の内部の組織部位に対して行って、流体を除去してもよい。例えば、減圧を使用して、患者の腹部から腹水を除去してもよい。こうした場合には、内部の位置における圧力ならびに他のパラメータを知ることが望ましいとし得る。減圧は、治癒を促す他の適用に使用してもよい。本明細書の説明に役立つ実施形態は、これらのタスクを行うように動作可能とし得る。
【００１７】
本明細書の説明に役立つ実施形態は、高性能（ｅｎｈａｎｃｅｄ）無線周波数認証（ＲＦＩＤ）技術を含むＲＦＩＤ技術を使用して、減圧ドレッシングから感知情報を無線で送受信することを含む。ＲＦＩＤは、標的上にあるＲＦＩＤタグまたはラベルと、ＲＦＩＤタグを付勢してタグからの信号を読み取るＲＦＩＤリーダとを使用する。ほとんどのＲＦＩＤタグは、情報を記憶および処理する集積回路と、変調器と、復調器とを含む。ＲＦＩＤタグを高性能にするために、感知機能およびオプションのコンピュータによる機能を発生させるマイクロコントローラ（またはプロセッサ）およびセンサが組み込まれる。ＲＦＩＤタグはパッシブタグ、アクティブＲＦＩＤタグ、およびバッテリー付きパッシブタグとし得る。一般的に、パッシブタグはバッテリーを使用せず、かつ、ＲＦＩＤリーダによって付勢されない限り、情報を送信しない。アクティブタグは、搭載バッテリーを有して、自律的に（すなわち、ＲＦＩＤリーダによって付勢されずに）送信できる。バッテリー付きパッシブタグは、一般に、ＲＦＩＤリーダが存在することで起動される小型のバッテリーが搭載されている。
【００１８】
説明に役立つ一実施形態では、高性能ＲＦＩＤ技術は、ＷＩＳＰ（Ｗｉｒｅｌｅｓｓ  Ｉｄｅｎｔｉｆｉｃａｔｉｏｎ  ａｎｄ  Ｓｅｎｓｉｎｇ  Ｐｌａｔｆｏｒｍ）装置である。ＷＩＳＰは、ＲＦＩＤタグ（またはラベル）と似て、ＲＦＩＤリーダを用いて、ＷＩＳＰ装置に電力を供給しかつそれを読み取ることを含む。ＷＩＳＰ装置は、ＲＦＩＤリーダが発した無線信号から電力を得て、かつ感知機能を実行する（および任意選択でコンピュータによる機能を実行する）。ＷＩＳＰ装置は、情報を備える無線信号をＲＦＩＤリーダに送信する。ＷＩＳＰ装置はＲＦＩＤリーダから電力を受信する。ＷＩＳＰ装置は、エネルギーを得るタグまたはアンテナと、サンプリングセンサなどの、様々なタスクを実行できるマイクロコントローラ（またはプロセッサ）とを有する。ＷＩＳＰ装置はＲＦＩＤリーダにデータを報告する。説明に役立つ一実施形態では、ＷＩＳＰ装置は、電力源（ｐｏｗｅｒ  ｈａｒｖｅｓｔｉｎｇ）回路を備える集積回路、復調器、変調器、マイクロコントローラ、センサを含み、かつエネルギーを貯蔵するために１つ以上のコンデンサを含んでもよい。ＷＩＳＰ技術の一形態は、Ｉｎｔｅｌ  Ｒｅｓｅａｒｃｈ  Ｓｅａｔｔｌｅ（ｗｗｗ．ｓｅａｔｔｌｅ．ｉｎｔｅｌ−ｒｅｓｅａｒｃｈ．ｎｅｔ／ｗｉｓｐ／）によって開発された。
【００１９】
ここで図面、始めに図１〜３を参照すると、減圧によって少なくとも１つの組織部位１０２、例えば創傷部位１０４を治療するシステム１００を示す。例示的な創傷部位１０４を、患者１０６の表皮１０８を通って皮下組織１１０まで至るように示す。組織部位１０２は、骨組織、脂肪組織、筋組織、皮膚組織、脈管組織、結合組織、軟骨、腱、靭帯、または任意の他の組織を含む、任意のヒト、動物、または他の生物の体の組織とし得る。組織部位１０２の治療は、流体、例えば滲出液や腹水の除去を含み得る。他に指定のない限り、本明細書の全体において、「または」は、相互排他性である必要はない。組織部位１０２の治療は、流体、例えば滲出液や腹水の除去を含み得る。
【００２０】
システム１００を、減圧によって組織部位１０２を治療して肉芽組織の形成を助ける（減圧療法）ために、組織増殖を促さずに流体を除去するために、または減圧が有用な任意の他の目的に、使用してもよい。システム１００は、組織部位１０２に近接して配置する第１の無線減圧ドレッシング１１２と、リモートベースユニット１１４と、減圧源１１６とを含む。
【００２１】
第１の無線減圧ドレッシング１１２は、分配マニホールド１１８と、分配マニホールド１１８の少なくとも一部分を覆うシール部材１２０（またはドレープ）と、第１のＲＦＩＤアンテナ１２２と、第１のＲＦＩＤアンテナ１２２に結合された第１のプロセッサ１２４と、第１のプロセッサ１２４に結合された第１のセンサ１２６とを含み得る。第１のプロセッサ１２４および第１のセンサ１２６は、基板１２７またはハウジングに関連付けられ得る。
【００２２】
シール部材１２０は、患者の表皮１０８の一部分にある分配マニホールド１１８の上側を覆って流体シールを形成するか、または他の個所で流体シールをもたらすのを支援してもよい。「流体シール」または「シール」は、特定の減圧源または関連のサブシステムによって与えられた減圧を所望の部位に維持するのに適切なシールを意味する。シール部材１２０は取付装置１２８を含み得る。シール部材１２０は密閉空間１３０を形成し、そこに分配マニホールド１１８を位置決めし得る。シール部材１２０のアパーチャを通して減圧インターフェース１３２を配置して、密閉空間１３０に、特に分配マニホールド１１８に減圧をもたらしてもよい。他の無線減圧ドレッシングをシステム１００の一部として使用して複数の組織部位に対応してもよく、かつ追加的な無線減圧ドレッシングは第１の無線減圧ドレッシング１１２と同様とし得る。
【００２３】
分配マニホールド１１８に関して、本明細書では、用語「マニホールド」は、一般的に、組織部位、例えば組織部位１０２に対して減圧を行う、流体を供給する、または組織部位から流体を除去するのを支援するために設けられる物体または構造を指す。分配マニホールド１１８は、一般に、流体を、分配マニホールド１１８の周りの組織部位１０２にもたらしかつそこから除去するように分配させる複数の流路または流れ経路を含む。説明に役立つ一実施形態では、流路または流れ経路は相互に接続されて、組織部位１０２に提供されるまたはそこから除去される流体の分配を改善する。分配マニホールド１１８はまた、組織部位１０２と接触して配置されかつ組織部位１０２に減圧を分配させることができる生体適合性材料とし得る。マニホールド１１８の例としては、限定はされないが、流路を形成するように配置された構造要素を有する装置、例えば、気泡質の発泡体、連続気泡発泡体、多孔性組織集合体、液体、ゲル、および流路を含むまたは硬化して流路を含む発泡体などを含み得る。例は、相互に排他的ではない。
【００２４】
分配マニホールド１１８は多孔質としてもよく、かつ発泡体、ガーゼ、フェルトのマット、または特定の生物学的適用に好適な任意の他の材料から作製してもよい。一実施形態では、分配マニホールド１１８は多孔質発泡体であり、かつ流路の機能を果たす複数の連続気泡または細孔を含む。多孔質発泡体は、ポリウレタン製の連続気泡の網状発泡体、例えばＫｉｎｅｔｉｃ  Ｃｏｎｃｅｐｔｓ，Ｉｎｃｏｒｐｏｒａｔｅｄ（Ｓａｎ  Ａｎｔｏｎｉｏ、Ｔｅｘａｓ）製のＧｒａｎｕＦｏａｍ（登録商標）材とし得る。他の実施形態は「独立気泡」を含んでもよい。場合によっては、分配マニホールド１１８はまた、薬剤、抗菌薬、成長因子、および様々な溶液などの流体を組織部位１０２に分配するためにも使用し得る。分配マニホールド１１８にまたは分配マニホールド１１８上に、吸収材料、ウィッキング材料、疎水性材料、および親水性材料などの他の層も含まれ得る。
【００２５】
説明に役立つ一実施形態では、分配マニホールド１１８、または分配マニホールド１１８の複数の部分は、無線減圧ドレッシング１１２の使用後に患者の体に残ってもよい生体再吸収性材料から構成し得る。好適な生体再吸収性材料は、限定はされないが、ポリ乳酸（ＰＬＡ）とポリグリコール酸（ＰＧＡ）とのポリマーブレンドを含み得る。ポリマーブレンドはまた、限定はされないが、ポリカーボネート、ポリフマレート、およびカプララクトンを含み得る。分配マニホールド１１８は、新しい細胞増殖のための足場としての機能をさらに果たしてもよいし、または細胞増殖を促進するために分配マニホールド１１８と足場材料を一緒に使用してもよい。足場は、細胞増殖または組織形成を増進させるまたは促進するのに使用される物体または構造であり、例えば、細胞増殖のテンプレートを提供する三次元の多孔質構造である。足場材料の説明に役立つ例は、リン酸カルシウム、コラーゲン、ＰＬＡ／ＰＧＡ、コーラルヒドロキシアパタイト、カーボネート、または加工された同種移植片材料を含む。
【００２６】
シール部材１２０は、流体シールをもたらす任意の材料とし得る。シール部材１２０は、例えば、不透過性または半透過性のエラストマー性材料とし得る。「エラストマー性」は、エラストマーの特性を有することを意味する。一般的に、ゴムのような特性を有するポリマー材料を指す。より具体的には、ほとんどのエラストマーは、１００％超の極限伸びおよび相当の弾力性を有する。材料の弾力性は、弾性変形から回復する材料の能力を指す。エラストマーの例は、限定されるものではないが、天然ゴム、ポリイソプレン、スチレンブタジエンゴム、クロロプレンゴム、ポリブタジエン、ニトリルゴム、ブチルゴム、エチレンプロピレンゴム、エチレンプロピレンジエンモノマー、クロロスルホン化ポリエチレン、多硫化ゴム、ポリウレタン（ＰＵ）、ＥＶＡフィルム、コ−ポリエステル、およびシリコーンを含み得る。シール部材の材料の追加的な具体例は、シリコーンドレープ、３Ｍ  Ｔｅｇａｄｅｒｍ（登録商標）ドレープ、Ａｖｅｒｙ  Ｄｅｎｎｉｓｏｎ  Ｃｏｒｐｏｒａｔｉｏｎ（Ｐａｓａｄｅｎａ、Ｃａｌｉｆｏｒｎｉａ）から入手可能なポリウレタン（ＰＵ）ドレープを含む。
【００２７】
取付装置１２８は、患者の表皮１０８または別の層に、例えばガスケットまたは追加的なシール部材に、または別の個所にシール部材１２０を維持するのに使用し得る。取付装置１２８は多くの形態を取り得る。例えば、取付装置１２８は、シール部材１２０の周囲、一部分、または全体に延在する、医学的に容認できる感圧接着剤とし得る。
【００２８】
第１の無線減圧ドレッシング１１２は、１つ以上の組織部位１０２に減圧をもたらす。本明細書では、「減圧」は、一般的に、治療を施されている組織部位における周囲圧力に達しない圧力を指す。ほとんどの場合、この減圧は、患者がいる場所の気圧に達しない。あるいは、減圧は、組織部位における静水圧未満とし得る。減圧は、初めに、分配マニホールド１１８内に、および組織部位１０２に近接して、流体の流れを生じ得る。組織部位１０２の周りの静水圧が所望の減圧に達すると、流れは弱まり、かつ減圧が維持され得る。他に指定のない限り、本明細書で挙げられた圧力の値は、ゲージ圧である。ときには絶対圧を参照する。供給される減圧は、一定であってもまたは変動しても（パターン化またはランダム）よく、連続的にまたは断続的に供給され得る。用語「真空」および「負圧」を使用して、組織部位に加えられる圧力を説明してもよいが、組織部位に加えられる実際の圧力は、通常完全な真空と連想される圧力よりも上回り得る。本明細書での使用に一致して、減圧または真空圧の上昇は、一般に、絶対圧の相対的減少を指す。
【００２９】
減圧インターフェース１３２は、減圧供給導管１３４を分配マニホールド１１８に流体的に結合する構造または手段とし得る。減圧インターフェース１３２は、分配マニホールド１１８に適用される成形構造、医療用導管（例えば、減圧供給導管１３４の一部分）、または結合用の他の装置とし得る。図４に関連して説明するように、膜が、閉鎖状態にあるときには、減圧インターフェース１３２を通る流体の流れを妨げ得るまたは防止し得る。
【００３０】
減圧源１１６は減圧をもたらす。減圧源１１６は、減圧を供給する任意の装置または源、例えば真空ポンプ１３６、壁面吸い込み、マイクロポンプ、または他の源とし得る。減圧源１１６の一態様としてまたは別個の部材として、流体１３９を収容して保持するためにキャニスター１３８が含まれてもよい。以下さらに説明するように、リモートベースユニット１１４は、カップリング１４０、例えば、有線または無線信号によって、減圧源１１６に電気的に結合されて圧力制御信号をもたらし、第１の無線減圧ドレッシング１１２への減圧の供給を制御する。減圧源１１６およびリモートベースユニット１１４は、一部の実施形態において統合ユニットとし得る。「リモートベースユニット」の文脈においては、「リモート」は、一般に、数ミリメートル超の距離だけ無線減圧ドレッシングから離されていることを意味し、かつ無線減圧ドレッシングに直接隣接するが電気的に結合されていないベースユニットを含み得る。
【００３１】
第１のセンサ１２６は圧力センサとしてもよく、かつ第１のプロセッサ１２４に結合され得る。第１のプロセッサ１２４は、第１のＲＦＩＤアンテナ１２２に結合されている、またはそれと通信している。それゆえ、第１のセンサ１２６は、第１の無線減圧ドレッシング１１２内のまたはその表面上の所望の部位で受けた圧力を示す信号を発生してもよく、およびその信号は、圧力メッセージ信号と称してもよい。他の実施形態では、第１のセンサ１２６は、別のタイプのセンサとし得る。例えば、第１のセンサは、以下のうちの１つとし得る：圧力センサ、温度センサ、ｐＨセンサ、湿度センサ、揮発性有機化合物（ＶＯＣ）センサ、血液センサ、または成長因子センサ。減圧インターフェース１３２は、１つ以上の圧力導管またはチャネル１４４を含んで、サンプリングのために第１のセンサ１２６に減圧をもたらす。
【００３２】
第１のプロセッサ１２４には第２のセンサ１４２も含まれ、それに結合されている。第２のセンサ１４２は、第１のセンサ１２６で先に述べたものなどの任意のタイプのセンサとし得る。当然のことながら、第１のＲＦＩＤアンテナ１２２、第１のプロセッサ１２４、および第１のセンサ１２６はＷＩＳＰ（Ｗｉｒｅｌｅｓｓ  Ｉｄｅｎｔｉｆｉｃａｔｉｏｎ  ａｎｄ  Ｓｅｎｓｉｎｇ  Ｐｌａｔｆｏｒｍ）装置を含み得る。第１のセンサ１２６、第２のセンサ１４２、または任意の他のセンサは、第１の無線減圧ドレッシング１１２の任意の個所に配置し得る。説明に役立つ一実施形態では、第１のセンサ１２６は、分配マニホールド１１８に隣接し得る。別の説明に役立つ実施形態では、第１のセンサ１２６は、シール部材１２０の離れた部分にあってもよい。説明に役立つ一実施形態では、センサ、例えば第１のセンサ１２６は、シール部材１２０に重ね合わせられても、または他の方法でシール部材１２０の一部分に取り付けられてもよく、および密閉空間１３０の圧力をサンプリングし得る。２つのセンサ１２６、１４２について述べたが、所望であれば追加的なセンサを設けることができることを理解されたい。
【００３３】
説明に役立つ一実施形態では、バッテリーは第１の無線減圧ドレッシング１１２に関連付けられていない。換言すると、第１の無線減圧ドレッシング１１２はパッシブである。そのような実施形態では、第１のプロセッサ１２４および第１のセンサ１２６（および任意の追加的なオプションのセンサ、例えば第２のセンサ１４２）に必要なエネルギーの全てを、リモートベースユニット１１４からの、第１のＲＦＩＤアンテナ１２２によって受信した信号から得る。他の実施形態では、バッテリーは、必要な電力を提供するために含まれ得る。バッテリーからの電力によって、第１の無線減圧ドレッシング１１２は、リモートベースユニット１１４からの信号のいずれとも無関係に信号を送信し得る。別の説明に役立つ実施形態では、バッテリーは、必要な電力の一部分を提供するために含まれ得る。
【００３４】
リモートベースユニット１１４は、ＲＦＩＤリーダ１４６および第２のプロセッサ１４８を含む基板または他の構造体１１５を含み得る。リモートベースユニット１１４はまた、第１のディスプレイ１５２、例えば、圧力計１５４を含み得る。第１のディスプレイ１５２またはインジケータは、第１のセンサ１２６によって測定された量または適切な圧力の指示を表示するためのものである。同様に、追加的なディスプレイまたはインジケータ、例えば温度ディスプレイ１５６が含まれてもよい。１つのディスプレイを使用して、複数の項目、例えば、複数のセンサからのデータを表示し得る。押しボタン付きパネルやグラフィカルユーザインターフェースなどのコントロールパネル１５８が、ユーザからの入力を受信するために含まれてもよい。第２のプロセッサ１４８は、カップリング１４０によって減圧源１１６に結合され、制御信号を提供し得る。制御信号は、減圧源１１６によって供給される圧力を制御することによって、組織部位１０２における圧力の自動調節を可能にする。
【００３５】
ＲＦＩＤリーダ１４６は、第１のＲＦＩＤアンテナ１２２に対して信号を送受信する送受信機とし得る。ＲＦＩＤリーダ１４６は、受信信号を、まだ変換されていない場合にはデジタル形式に変換し、かつ信号を第２のプロセッサ１４８に提供し得る。リモートベースユニット１１４は、数ミリメートルの近さの、または３０フィート以上離れた、または任意の距離、例えば、５、１０、または２０フィート離れた信号を読み取り得る。リモートベースユニット１１４は、所望なだけ頻繁に、例えば、０．５秒毎、毎秒、毎時、または任意の他の時間間隔でポーリングする。
【００３６】
第２のプロセッサ１４８は、様々な所望のステップを実行するために必要なメモリおよび命令を含む。例えば、ペアリングプロトコルを実行し得る。ペアリングプロトコルでは、ＲＦＩＤリーダ１４６を備える第２のプロセッサ１４８が第１の無線減圧ドレッシング１１２にＩＤ問合せ信号を送信し、第１の無線減圧ドレッシング１１２の識別子について問合せる。それに応じて、第１のプロセッサ１２４はＩＤメッセージ信号を送信する。ＩＤメッセージを承認済みリストと比較することによってまたはＩＤメッセージ信号自体に含まれる情報によって決定されたように、第１の無線減圧ドレッシング１１２がリモートベースユニット１１４と共に使用するのに好適ではない場合、リモートベースユニット１１４は、治療の一部としての命令の実行を続行しない。このプロトコルは、承認されておらずかつリモートベースユニット１１４を用いて期待通りに上手く働かない可能性のあるドレッシングを使用することに対する防衛手段である必要がある。
【００３７】
説明に役立つ例として、第２のプロセッサ１４８、ＲＦＩＤリーダ１４６、第１のＲＦＩＤアンテナ１２２、および第１のプロセッサ１２４は、以下のステップを実施するように構成し得る：リモートベースユニット１１４から第１の無線減圧ドレッシング１１２へＩＤ問合せ信号を送信するステップ；第１の無線減圧ドレッシング１１２においてＩＤ問合せ信号を受信し、かつＩＤメッセージ信号を生成するステップ；第１の無線減圧ドレッシング１１２からリモートベースユニット１１４へＩＤメッセージ信号を送信するステップ；リモートベースユニット１１４においてＩＤメッセージ信号を受信するステップ；ＩＤメッセージ信号が、承認済みリストにあるドレッシングを表すかどうか判断するステップ；およびＩＤメッセージ信号が、承認済みリストにある（または別の方法で容認できる）ドレッシングを表す場合、減圧源１１６を作動させて分配マニホールド１１８に減圧をもたらすステップ、またはＩＤメッセージ信号が承認済みリストにないドレッシングを表す場合、エラーを示すステップ。
【００３８】
ここで主に図４を参照すると、第１の無線減圧ドレッシング１１２の別の説明に役立つ実施形態を示す。第１の無線減圧ドレッシング１１２は、大部分において、図１〜３の第１の無線減圧ドレッシング１１２と類似している。シール部材１２０またはフィルムは、第１のＲＦＩＤアンテナ１２２、第１のプロセッサ１２４、および第１のセンサ１２６を覆う。この実施形態では、減圧インターフェース（図示しないが、図１の減圧インターフェース１３２に類似している）は、シール部材１２０のアパーチャ１２１に結合されて流体連通を可能にするが、初めは、膜１６０がアパーチャ１２１を通る流れを防げ得るまたは防止し得る。
【００３９】
膜１６０は、閉鎖状態および非閉鎖状態をとり得る。膜１６０は、膜１６０が一体層であるときには閉鎖状態にあるとし、および膜を通る流体の流れを可能にする１つ以上のアパーチャが膜１６０に形成されるときには非閉鎖状態にあるとし得る。初めにアパーチャ１２１が閉鎖状態にあるとき、アパーチャ１２１を通る流れは防げられる（または実質的に防止される）が、膜１６０が非閉鎖状態に変化すると、膜１６０を、それゆえアパーチャ１２１を通る流れが発生し得る。膜１６０は、活性化事象、例えば、加熱、光、超音波、化学剤、または他の活性化剤の適用に応答して、閉鎖状態から非閉鎖状態へ移り得る。例えば、説明に役立つ一実施形態では、膜１６０に近接して解除要素１６２が配置され、その解除要素は、膜１６０を閉鎖状態から非閉鎖状態へ変化させるように適合されている（またはそのように動作可能である）。解除要素１６２は、第１のプロセッサ１２４によって活性化され、活性化事象を生じ得る。他の実施形態では、解除要素１６２は、第２のプロセッサ１４８または外部刺激によって活性化され得る。
【００４０】
解除要素１６２は、例えば、限定するものではないが、電気抵抗加熱素子とし得る。第１のプロセッサ１２４から解除要素１６２へ電力が供給されて電気抵抗加熱素子を十分に活性化し、膜１６０を融解する、溶解する、または他の方法でアパーチャを形成するようにし得る。別の説明に役立つ実施形態では、解除要素１６２は、活性化時に膜１６０にアパーチャを形成する超音波装置である。別の説明に役立つ実施形態では、解除要素１６２は、第１のプロセッサ１２４から信号を受信すると、膜１６０の少なくとも一部が溶解される作用物質を放出してアパーチャ１２１を形成する化学物質分配装置である。さらに別の説明に役立つ実施形態では、解除要素１６２は、第１の波長の光であり、および、第１の波長の光に反応して、膜１６０の少なくとも一部分が溶解されて、アパーチャを形成する。
【００４１】
膜１６０は、解除要素１６２として使用される活性化装置に依存して、多数の材料から作製し得る。例えば、膜１６０は、１５〜１００μｍの範囲の厚さの、ＬＤＰＥ、ＨＤＰＥ、ＰＰ、ＰＡなどの半結晶質熱可塑性フィルムを含み得る。膜１６０の正確な厚さは、選択された材料、および膜１６０が抵抗する必要のある減圧レベルに依存する。膜１６０を破裂させるのに必要な温度は、選択したポリマーの融点に達するまたはその融点である必要がある。負圧がかけられることによって膜１６０に負担がかかっているときに加熱される場合、膜１６０を破壊または溶解するのに必要な温度は低下し得る。
【００４２】
解除要素１６２は、膜１６０の製造中に膜１６０に貼り付けられる、または作製後期に取り付けられる構成要素とし得る。解除要素１６２は、膜１６０自体を導電性にするために、膜１６０に成形されるまたは膜１６０に追加される導電性部品としてもよい。導電材料は、金属性、またはポリマーに伝導性をもたらすためによく使用される他の材料の１つとし得る。上述の膜またはフィルム材のいくつかを融解させるために必要な温度は１００℃超とし得るが、解除要素１６２は、患者から十分に離されて、負傷や他の予測される合併症を回避する。さらに、膜１６０は、膜１６０を通るアパーチャを形成するのに必要なエネルギーが微小であるように、極端に薄くし得る。
【００４３】
ここで主に図１〜４を参照すると、第１の無線減圧ドレッシング１１２が膜１６０および解除要素１６２を含む場合、初期活性化は、リモートベースユニット１１４および第１のプロセッサ１２４によって行われ得る。説明に役立つ例として、リモートベースユニット１１４は、活性化信号をリモートベースユニット１１４から第１の無線減圧ドレッシング１１２へ送信し得る。活性化信号を受信すると、第１のプロセッサ１２４は解除要素１６２を活性化させて、アパーチャ１２１上にアパーチャを形成するなどによって、膜１６０を非閉鎖状態に変化させる。次いで、減圧源１１６からの減圧が、減圧インターフェース１３２およびアパーチャ１２１を通って分配マニホールド１１８に供給され得る。ユーザが、第１の無線減圧ドレッシング１１２と共に使用するようには設計されていないリモートベースユニットを使用しようとする場合、リモートベースユニットは、活性化信号に応答せず、および膜１６０を閉鎖状態から非閉鎖状態へ変化させない。それゆえ、第１の無線減圧ドレッシング１１２は、膜１６０を通って分配マニホールド１１８までの流体の流れを確立することができない。
【００４４】
説明に役立つ一実施形態によれば、動作時、第１の無線減圧ドレッシング１１２は、組織部位１０２に近接して配置される。分配マニホールド１１８は、組織部位１０２に隣接して配置される。シール部材１２０は、取付装置１２８によって表皮１０８に解放可能に取り付けられる。減圧供給導管１３４は、減圧インターフェース１３２と減圧源１１６との間で流体的に結合される。リモートベースユニット１１４は、コントロールパネル１５８を用いてユーザによって作動され得る。
【００４５】
上述の通り、リモートベースユニット１１４は、初めに活性化信号を第１の無線減圧ドレッシング１１２に送信して、膜１６０を閉鎖状態から非閉鎖状態へ変化させる。次いで、リモートベースユニット１１４はＩＤ問合せ信号を送信して、ドレッシングのタイプを特定し得る。第１の無線減圧ドレッシング１１２はＩＤ問合せ信号を受信し、かつ、それに応じて、ドレッシングのタイプを示すＩＤメッセージ信号を送信する。第２のプロセッサ１４８は、ＩＤメッセージ信号を受信し、かつＩＤメッセージ信号をルックアップするか、または他の方法で、ＩＤメッセージ信号が表すドレッシングが容認できるかどうか判断する。ドレッシングが容認できる場合、第２のプロセッサ１４８が、例えばカップリング１４０によって、減圧源１１６へ制御信号が送信されるようにして減圧源１１６を作動させ、減圧による治療を開始し得る。別の実施形態では、ドレッシングのタイプは、活性化信号の送信前に承認され得る。
【００４６】
リモートベースユニット１１４は、第１の無線減圧ドレッシング１１２に圧力問合せ信号を送信するように構成し得る。それに応じて、第１の無線減圧ドレッシング１１２は、第１のセンサ１２６によって圧力を確認し、かつリモートベースユニット１１４に圧力メッセージ信号を送信する。圧力メッセージ信号に基づいて、リモートベースユニット１１４は、圧力が第１の目標圧力を上回るかどうかを判断し（絶対尺度で）、および上回る場合、減圧源１１６の運転を継続する。しかし、圧力メッセージ信号が、圧力が第１の目標圧力を下回ることを示す場合（絶対尺度で）、第２のプロセッサ１４８は、減圧源１１６の減圧の供給を停止させる制御信号を送信し得る。減圧源１１６の運転は、弁の操作、または真空ポンプへの電力供給または他の同様の技術によるものとし得る。リモートベースユニット１１４は、ときどき第１の無線減圧ドレッシング１１２に情報を送らせて、圧力を監視してもよい。圧力が第１の目標圧力を上回るようになると（絶対尺度で）、減圧源１１６は、再び、制御信号によって作動される。それゆえ、フィードバックループが用いられ得る。
【００４７】
治療を必要とする複数の組織部位１０２が患者にある場合、複数の無線減圧ドレッシングを使用してもよい。例えば、第１の無線減圧ドレッシング１１２を第１の組織部位１０２に配置し、かつ第２の無線減圧ドレッシング（図示しないが、減圧ドレッシング１１２と類似している）を第２の組織部位に配置してもよい。信号は一意の識別情報を含むため、リモートベースユニット１１４は、第１の無線減圧ドレッシング１１２および第２の無線減圧ドレッシングの双方と通信し得る。この配置により、複数の組織部位各々における減圧の監視および制御を可能にする。複数のリモートベースユニット１１４も使用してもよい。例えば、各第１のプロセッサ１２４は、特定のリモートベースユニット１１４とペアにされるときに構成されるレジスタを含むダイナミックＲＡＭを含んでもよい。それゆえ、第１の無線減圧ドレッシング１１２は、どのリモートベースユニット１１４が割り当てられたかを区別できる。第１の無線減圧ドレッシング１１２は、リセット信号を第１のプロセッサ１２４に送信するリセットボタンを含んで、ドレッシングとベースユニットとの関連付けを変化させることができてもよい。
【００４８】
ここで主に図５を参照すると、減圧によって少なくとも１つの組織部位１０２を治療するシステム１００の別の説明に役立つ実施形態を示す。システム１００は第１の無線減圧ドレッシング１１２を含む。システム１００は、減圧源１１６がマイクロポンプ１１７、例えば圧電ポンプであり、かつ分配マニホールド１１８に隣接していることを除いて、大部分において図１のシステム１００と類似している。さらに、吸収層１１９も含まれることが明らかである。マイクロポンプ１１７に関連する本明細書全体において、「隣接」は、隣にある、近くにある、かつまた、内部に含まれることを意味する。
【００４９】
マイクロポンプ１１７には専用のバッテリー１６６が結合され、マイクロポンプ１１７に電力を供給し得る。通気管路１６８を使用して、マイクロポンプ１１７が第１の無線減圧ドレッシング１１２の外部に通気または排気できるようにし得る。この実施形態では、ＷＩＳＰまたはＲＦＩＤ装置１７０に関連付けられている第１のプロセッサ（図３の第１のプロセッサ１２４に類似）が、リモートベースユニット１１４によって命令されて、必要な時に制御信号をマイクロポンプ１１７に届け得る。別の説明に役立つ実施形態では、第１のプロセッサは、分配マニホールド１１８における圧力を示す圧力メッセージ信号を受信し、その圧力を目標圧力と比較し、かつ、それに応じて、制御信号をマイクロポンプ１１７に届けて、必要に応じてマイクロポンプ１１７を制御し得る。別の説明に役立つ実施形態では、装置１７０は、第１のプロセッサおよび第１のセンサだけでなく、マイクロポンプ１１７をも付勢させるために、電力を得てもよい。第１の無線減圧ドレッシング１１２にある給電装置のために充電を増やしかつ保持するのを助けるために、コンデンサ（明示せず）が含まれてもよいことを留意されたい。
【００５０】
ここで図３、図４、および図６、主に図６を参照すると、システム１００によって実行され得る治療プロセスを示す。プロセスは２００で始まる。ステップ２０２では、リモートベースユニット１１４は、第１の無線減圧ドレッシング１１２に活性化信号を送信する。第１のＲＦＩＤアンテナ１２２が活性化信号を受信する。活性化信号は、第１のプロセッサ１２４を付勢させる。第１のプロセッサ１２４は解除要素１６２を活性化させる。解除要素１６２は、膜１６０を閉鎖状態から非閉鎖状態へ変化させ、それにより、流れが可能となる。当然のことながら、膜１６０を非閉鎖状態へ変化させる必要性があることより、適切な（承認済みの）リモートベースユニット１１４のみを第１の無線減圧ドレッシング１１２と共に使用することを確実にするのを助ける。
【００５１】
ステップ２０４において、リモートベースユニット１１４は、第１の無線減圧ドレッシング１１２にＩＤ問合せ信号を送信する。第１のＲＦＩＤアンテナ１２２はＩＤ問合せ信号を受信する。ＩＤ問合せ信号は、第１のプロセッサ１２４を付勢させ、かつ第１のプロセッサ１２４に識別要求を提供する。それに応じて、第１のプロセッサ１２４は、第１のＲＦＩＤアンテナ１２２からリモートベースユニット１１４上のＲＦＩＤリーダ１４６へＩＤメッセージ信号を送信する。リモートベースユニット１１４は、質問手続き２０６においてＩＤメッセージ信号を待つ。
【００５２】
質問手続き２０６において、第２のプロセッサ１４８は、予め定められた時間ＩＤメッセージ信号を待つ。ＩＤメッセージ信号が、予め定められた時間で受信されない場合、プロセスはステップ２０８へ進み、そこで、エラーフラグをポストし、プロセスが２１０で終了する。エラーフラグは、コントロールパネル１５８で表示するため、または警報を鳴らすため、または他の通知を提供するためのメッセージのポスティングを含み得る。ＩＤメッセージ信号を受信する場合、プロセスは質問手続き２１２に進む。
【００５３】
質問手続き２１２では、ＩＤメッセージ信号が容認できるまたは承認済みのドレッシングを表すかどうかの問合せが行われる。問合せに応えるために、第２のプロセッサ１４８は、ＩＤメッセージ信号によって表されたドレッシングと、容認できるまたは承認済みのドレッシングのリストとを比較する。ＩＤメッセージ信号によって表されるドレッシングが容認できるまたは承認済みのドレッシングのリストにある場合、プロセスは続いてステップ２１４に進み、およびリストにない場合、プロセスはステップ２０８に進み、エラーフラグをポストしてプロセスが２１０で終了する。
【００５４】
ステップ２１４では、実行中のサイクル時間を保持するために第１のクロノグラフＴ１が開始される。次いで、プロセスはステップ２１６に進む。ステップ２１６では、第２のプロセッサ１４８が、カップリング１４０を介して減圧源１１６に制御信号を提供して、減圧源１１６を作動させる。減圧源１１６が作動されたら、減圧が第１の無線減圧ドレッシング１１２に流れる。
【００５５】
ステップ２１８では、リモートベースユニット１１４は、第１の無線減圧ドレッシング１１２に圧力問合せ信号を送信する。第１のＲＦＩＤアンテナ１２２は圧力問合せ信号を受信する。圧力問合せ信号は、第１のプロセッサ１２４および第１のセンサ１２６を付勢させる。それに応じて、第１のプロセッサ１２４はリモートベースユニット１１４に圧力メッセージ信号を送信する。ＲＦＩＤリーダ１４６は、圧力メッセージ信号を受信し、かつ第２のプロセッサ１４８へ届ける。質問手続き２２０では、そこで、第２のプロセッサ１４８が、実質的に分配マニホールド１１８のまたは他の所望の個所の圧力を示す圧力メッセージ信号を、目標圧力と比較する。圧力メッセージ信号が、絶対尺度において、目標圧力を上回る圧力を示す場合、より減圧することが必要となり、減圧の供給を継続する。プロセスは質問手続き２２２に進む。他方で、圧力メッセージ信号が、絶対尺度で、目標圧力を下回る圧力を示す場合、プロセスはステップ２２４に進む。
【００５６】
決定ステップ２２２において、第２のプロセッサ１４８は、第１のクロノグラフＴ１の経過時間と最大時間Ｔ１ｍａｘとを比較する。最大時間を超えた場合、プロセスは続いてステップ２２６に進む。ステップ２２６では、第２のプロセッサ１４８がエラーフラグをポストし、プロセスは２２８で終了する。エラーフラグは、警報を鳴らすこと、またはコントロールパネル１５８にメッセージを表示すること、または他の方法でユーザに問題を通知することを含み得る。最大時間を超えていない場合、プロセスはステップ２１８に戻る。最大時間を超えるまでまたは適切な減圧に達するまで、ループ（２１８、２２０、２２２、２１８、．．．）が続く。
【００５７】
圧力が適切になったら、プロセスはステップ２２４に進み、そこで、第２のプロセッサ１４８は、治療のための経過時間Ｔ２を保持する治療クロノグラフを開始する。次に、ステップ２３０において、第２のプロセッサ１４８はサイクルクロノグラフＴ３を開始する。次いで、プロセスは質問手続き２３２に進み、そこで、経過治療時間Ｔ２が最大許容値と比較される。経過治療時間Ｔ２が最大許容値を上回る場合、治療が完了したことを示すフラグがステップ２３４において与えられて、プロセスは２５０で終了する。そうでなければ、プロセスは続いてステップ２３６に進む。
【００５８】
ステップ２３６では、リモートベースユニット１１４は、第１の無線減圧ドレッシング１１２に圧力問合せ信号を送信する。第１のＲＦＩＤアンテナ１２２が圧力問合せ信号を受信する。次いで、圧力問合せ信号は第１のプロセッサ１２４に届けられる。圧力問合せ信号は、第１のプロセッサ１２４および第１のセンサ１２６を付勢させる。それに応じて、第１のプロセッサ１２４は圧力メッセージ信号を発生させる。第１のプロセッサ１２４および第１のＲＦＩＤアンテナ１２２がリモートベースユニット１１４に圧力メッセージ信号を送信する。圧力メッセージ信号が受信され、かつ第２のプロセッサ１４８に届けられる。質問手続き２３８では、圧力メッセージ信号によって表される、分配マニホールド１１８（または他の所望の個所）の圧力が、絶対尺度で目標値と比較される。圧力が目標値を上回る場合、ステップ２４０において、減圧を行う（または継続する）必要があり、および第２のプロセッサ１４８は減圧源１１６に制御信号を送信する（または送信し続ける）。圧力が目標値を下回る場合、プロセスはステップ２４２において休止し、かつステップ２３０に戻ることにより、圧力を監視し続ける。
【００５９】
質問手続き２４４では、経過サイクル時間Ｔ３を最大値Ｔ３ｍａｘと比較する。経過サイクル時間Ｔ３が最大値Ｔ３ｍａｘを上回る場合、システム１００は圧力を適切に低下させることができないことが明白である。そのような条件は、漏れによって発生し得る。それゆえ、エラーフラグまたは警報がステップ２４６において開始され、プロセスは２４８において終了する。経過サイクル時間Ｔ３が最大値Ｔ３ｍａｘを下回る場合、サイクルは継続され、プロセスは質問手続き２３２に進む。
【００６０】
図６Ａ〜６Ｂに示すプロセスは、説明に役立つ一実施形態である。多くの実施形態が可能である。他のプロセスの流れは、第２のセンサ１４２から温度メッセージ信号を、またはセンサのタイプに依存した他のデータを受信するための類似命令を含んでもよい。別の説明に役立つ実施形態では、活性化ステップは、承認済みレッシングを裏付けるために必要なステップに従ってもよい。
【００６１】
圧力測定値は、第１の無線減圧ドレッシング１１２において得られてリモートベースユニット１１４に無線で送信されるので、減圧供給導管１３４の一部として圧力感知ルーメンが必要とされないため、減圧供給導管１３４は比較的小型とし得る。換言すると、有線による送信をせずに、および減圧供給導管１３４を通してサンプリング圧力を連通させる必要なく、圧力が測定され、かつ、圧力信号がリモートベースユニット１１４に送信される。
【００６２】
別の説明に役立つ実施形態では、第１の無線減圧ドレッシングは、有穴のまたは他の方法で流れを可能にするドレープによって囲まれる分配マニホールドとし得る。この説明に役立つ実施形態は、閉じた体洞において使用するのに好適であり、例えば、腹腔に１つ配置して、その内部の圧力を監視する。そのような実施形態では、圧力センサまたは他のセンサは、ドレッシング内またはドレッシング上のどこに配置されてもよく、かつ、体洞外部のリモートベースユニットと通信するように動作可能である。一実施形態では、圧力センサは、腹腔において使用されるドレッシングの周辺縁部に配置されてもよい。周辺縁部は、患者の結腸傍溝付近に配置されて、圧力および流体除去を監視する。
【００６３】
ＲＦＩＤアンテナおよび第１のプロセッサは、既に述べた目的とは別の目的のために、識別メッセージ信号を提供するように適合し得る。例えば、ドレッシングおよびベースユニットの適切な組み合わせを裏付けるために識別メッセージ信号を利用することに加えて、在庫調査目的に識別メッセージ信号を使用し得る。ＲＦＩＤリーダを備えるスキャナを使用して、無線減圧ドレッシングを走査して識別メッセージ信号を受信してもよい。
【００６４】
別の説明に役立つ実施形態では、流体を含む放出用パウチを提供する。放出用パウチは、無線減圧ドレッシングの一部として形成してもよい。放出用パウチは、例えば、シール部材の患者対面側面に取り付けられた追加的な膜によって、形成してもよい。解除要素１６２に類似した解除要素を放出用パウチに関連付けてもよい。解除要素は、第１のプロセッサ１２４が放出用パウチの一部分を選択的に溶解または開放して、パウチ内のいずれの内容物も放出できるようにする。それゆえ、放出用パウチは、薬剤または他の物質を保持するように使用し、かつ無線信号が無線減圧ドレッシングに送信されて薬剤を放出させてもよい。例えば、センサが細菌集落形成を検出する場合、パウチを開放して抗生物質を放出するように信号が送信されてもよいし、または血液含有量が高いことが検出される場合、凝固剤を放出するように信号が送信されてもよい。
【００６５】
無線減圧ドレッシングの一部の実施形態では、ＲＦＩＤアンテナは、第１のプロセッサから離れているが、第１のプロセッサに電気的に結合され得る。例えば、大型のＲＦＩＤアンテナを患者の治療すべき組織部位近くにおいて使用してもよく、および結合配線を、ＲＦＩＤアンテナから、分配マニホールドに隣接したまたは分配マニホールド上の第１のプロセッサまたは第１のセンサまで延在させてもよい。
【００６６】
説明に役立つ実施形態によれば、減圧によって少なくとも１つの組織部位を治療する方法は、第１の組織部位に近接して第１の無線減圧ドレッシングを配置するステップであって、第１の無線減圧ドレッシングが：組織部位に隣接して配置されかつ組織部位に減圧をもたらす分配マニホールド、分配マニホールドの少なくとも一部分を覆うシール部材、第１のプロセッサ、第１のプロセッサに結合されたＲＦＩＤアンテナ、および第１のプロセッサに結合された第１のセンサを含み、第１のセンサが圧力センサを含むステップを含む。この方法は、ＲＦＩＤリーダを含むリモートベースユニットを提供するステップと；分配マニホールドに減圧をもたらすステップと；ＲＦＩＤリーダから第１の無線減圧ドレッシングへ第１の圧力問合せ信号を送信するステップと；第１の圧力問合せ信号に応答して、第１の無線減圧ドレッシングから第１の圧力メッセージ信号を受信するステップとをさらに含む。第１の圧力メッセージ信号は、減圧供給導管に圧力感知ルーメンを全く必要とせずに、ＲＦＩＤアンテナによってリモートベースユニットへ無線で送信される。この方法は、第１の圧力メッセージ信号が（絶対圧の尺度で）目標圧力を上回るかどうか判断するステップであって、目標圧力を上回る場合、減圧源を作動させ、かつ（絶対圧の尺度で）目標圧力を下回る場合、減圧源の動作を停止させるステップをさらに含んでもよい。
【００６７】
前段落の方法は、第２の組織部位に隣接して第２の無線減圧ドレッシングを配置するステップと；ＲＦＩＤリーダから第２の無線減圧ドレッシングへ第２の圧力問合せ信号を送信するステップと；第２の圧力問合せ信号に応答して、第２の無線減圧ドレッシングから第２の圧力メッセージ信号を受信するステップとをさらに含んでもよい。この方法はまた、第１のプロセッサに結合された第２のセンサを使用するステップであって、第２のセンサが温度センサを含むステップを含んでもよい。
【００６８】
別の説明に役立つ実施形態によれば、減圧によって少なくとも１つの組織部位を治療するシステムは、組織部位に近接して配置される第１の無線減圧ドレッシングを含む。第１の無線減圧ドレッシングは、分配マニホールドと、分配マニホールドの少なくとも一部分を覆うシール部材と、ＲＦＩＤアンテナと、ＲＦＩＤアンテナに結合された第１のプロセッサと、第１のプロセッサに結合された第１のセンサと、ＲＦＩＤリーダおよびＲＦＩＤリーダに結合された第２のプロセッサを含むリモートベースユニットとを含む。このシステムはまた、分配マニホールドに流体的に結合された減圧源を含む。
【００６９】
前段落のシステムに関して、第１のセンサは圧力センサとし得る。第１の無線減圧ドレッシングは：温度センサ、ｐＨセンサ、湿度センサ、揮発性有機化合物センサ、血液センサ、および成長因子センサからなる群から選択される第２のセンサをさらに含んでもよい。減圧源はリモートベースユニットに結合されてもよく、およびリモートベースユニットは、減圧源に圧力制御信号を供給するように適合され得る。一実施形態では、減圧源およびリモートベースユニットは統合治療ユニットである。別の態様では、第２のプロセッサは、ＩＤ信号を受信しかつＩＤ信号が承認済みドレッシングを表すかどうか判断するように適合される。減圧源は、分配マニホールドに隣接したマイクロポンプとし得る。第１の無線減圧ドレッシングは、バッテリーがなくても機能し得る。一部の実施形態では、第１の無線減圧ドレッシングは、第１の組織部位に隣接し、かつ、第２の組織部位に隣接した第２の無線減圧ドレッシングをさらに含む。
【００７０】
別の説明に役立つ実施形態によれば、減圧によって組織部位を治療する無線減圧ドレッシングが、組織部位に隣接して配置されかつ組織部位に減圧をもたらす分配マニホールドと；分配マニホールドの少なくとも一部分を覆うシール部材と；第１のプロセッサと；第１のプロセッサに結合されたＲＦＩＤアンテナと；第１のプロセッサに結合された第１のセンサとを含み、第１のセンサは圧力センサを含む。無線減圧ドレッシングは、第１のプロセッサに結合された第２のセンサをさらに含んでもよく、第２のセンサは：温度センサ、ｐＨセンサ、湿度センサ、揮発性有機化合物センサ、血液センサ、および成長因子センサからなる群から選択される。
【００７１】
別の説明に役立つ実施形態によれば、減圧によって少なくとも１つの組織部位を治療する方法は：第１の組織部位に近接して第１の無線減圧ドレッシングを配置するステップを含む。第１の無線減圧ドレッシングは、組織部位に隣接して配置されかつ組織部位に減圧をもたらす分配マニホールドと、分配マニホールドの少なくとも一部分を覆うシール部材と、第１のプロセッサと、第１のプロセッサに結合されたＲＦＩＤアンテナと、第１のプロセッサに結合された第１のセンサとを含み、第１のセンサは圧力センサを含む。この方法は、ＲＦＩＤリーダを含むリモートベースユニットを提供するステップをさらに含む。リモートベースユニットは、ＲＦＩＤリーダに結合された第２のプロセッサを含む。この方法はまた、分配マニホールドに減圧源を流体的に結合するステップと；リモートベースユニットから第１の無線減圧ドレッシングにＩＤ問合せ信号を送信するステップと；第１の無線減圧ドレッシングにおいてＩＤ問合せ信号を受信してＩＤメッセージ信号を生成するステップと；第１の無線減圧ドレッシングからリモートベースユニットへＩＤメッセージ信号を送信するステップと；リモートベースユニットにおいてＩＤメッセージ信号を受信するステップと；ＩＤメッセージ信号が、承認済みリストにあるドレッシングを表すかどうか判断するステップと；ＩＤメッセージ信号が承認済みリストにあるドレッシングを表す場合には、分配マニホールドに減圧をもたらすために減圧源を作動させるステップ、またはＩＤメッセージ信号が承認済みリストにないドレッシングを表す場合には、エラーを示すステップとを含む。
【００７２】
別の実施形態では、前段落の方法は、第１の無線減圧ドレッシングに対して、以下：分配マニホールドの一部分を覆う膜であって、初めは閉鎖している膜と、膜に近接し、かつ膜を閉鎖状態から非閉鎖状態に変化させるように適合された解除要素であって、第１のプロセッサに結合された解除要素とをさらに含んでもよい。この方法は、リモートベースユニットから第１の無線減圧ドレッシングへ活性化信号を送信し、その結果、第１のプロセッサが解除要素を活性化させて、膜を非閉鎖状態へ変化させるステップと、減圧源から分配マニホールドへ減圧をもたらすステップとをさらに含む。
【００７３】
別の説明に役立つ実施形態によれば、減圧によって少なくとも１つの組織部位を治療するシステムは：組織部位に近接して配置される第１の無線減圧ドレッシングを含む。第１の無線減圧ドレッシングは：分配マニホールドと、分配マニホールドの少なくとも一部分を覆うシール部材と、分配マニホールドに減圧をもたらす減圧インターフェースと、第１のＲＦＩＤアンテナと、第１のＲＦＩＤアンテナに結合された第１のプロセッサと、第１のプロセッサに結合された第１のセンサと、初めは閉鎖している膜であって、減圧インターフェースの少なくとも一部分を覆い、かつ閉鎖状態にあるときには流体の流れを妨げるように適合された膜と、膜に近接した解除要素であって、活性化されると、膜を閉鎖状態から非閉鎖状態に変化させるように動作可能な解除要素と、ＲＦＩＤリーダおよび第２のプロセッサを含むリモートベースユニットと；分配マニホールドに流体的に結合された減圧源とを含む。第２のプロセッサは、ＲＦＩＤリーダから第１の無線減圧ドレッシングへ活性化信号を送信するように構成されている。活性化信号に応答して、第１のプロセッサは解除要素に電力を供給して、膜を閉鎖状態から非閉鎖状態に変化させるように構成されている。第２のプロセッサは、ＲＦＩＤリーダによってＩＤ問合せ信号を第１の無線減圧ドレッシングに送信するように構成されている。ＩＤ問合せ信号に応答して、第１のプロセッサは、第１のＲＦＩＤアンテナによってＩＤメッセージ信号を送信するように構成されている。第２のプロセッサは、ＲＦＩＤリーダを介してＩＤメッセージ信号を受信しかつＩＤメッセージ信号が容認可能なドレッシングのリストにあるドレッシングを表すかどうかを判断するように適合されている。
【００７４】
別の説明に役立つ実施形態によれば、減圧によって組織部位を治療するシステムは、分配マニホールドを含む無線減圧ドレッシングと、分配マニホールドを覆うシール部材と、減圧インターフェースと、無線減圧ドレッシングに関連付けられたＷＩＳＰ装置とを含む。システムは、ＷＩＳＰ装置と通信する、ＲＦＩＤリーダを含むリモートベースユニットと、無線減圧ドレッシングに流体的に結合された減圧源とをさらに含む。
【００７５】
別の説明に役立つ実施形態によれば、減圧によって少なくとも１つの組織部位を治療する方法は、第１の組織部位に近接して第１の無線減圧ドレッシングを配置するステップを含む。第１の無線減圧ドレッシングは、組織部位に隣接して配置されかつ組織部位に減圧をもたらす分配マニホールドと、分配マニホールドの少なくとも一部分を覆うシール部材と、減圧インターフェースと、初めは閉鎖している膜であって、減圧インターフェースの少なくとも一部分を覆い、かつ、閉鎖状態にあるときに流体の流れを妨げるように適合された膜と、第１のプロセッサと、第１のプロセッサに結合されたＲＦＩＤアンテナと、第１のプロセッサに結合された第１のセンサであって、圧力センサを含む第１のセンサと、膜に近接した解除要素であって、活性化されると、膜を閉鎖状態から非閉鎖状態に変化させるように動作可能な解除要素とを含む。解除要素は第１のプロセッサに結合されている。この方法は、ＲＦＩＤリーダを含むリモートベースユニットを提供するステップであって、リモートベースユニットが第２のプロセッサを含むステップと；減圧インターフェースに流体的に結合された減圧源を提供するステップと；リモートベースユニットから第１の無線減圧ドレッシングへ活性化信号を送信し、その結果、第１のプロセッサが解除要素を活性化して、膜を非閉鎖状態に変化させるステップと、減圧源から減圧インターフェースへ減圧をもたらし、それにより、非閉鎖状態が分配マニホールドへの流体の流れを可能にするステップとをさらに含む。
【００７６】
別の説明に役立つ実施形態によれば、少なくとも１つの組織部位を治療するシステムが、組織部位に近接して配置される第１の無線減圧ドレッシングを含む。第１の無線減圧ドレッシングは、シール部材と、ＲＦＩＤアンテナと、ＲＦＩＤアンテナに結合された第１のプロセッサと、第１のプロセッサに結合された第１のセンサと；ＲＦＩＤリーダおよびＲＦＩＤリーダに結合された第２のプロセッサを含むリモートベースユニットとを含む。第１のセンサは圧力センサとし得る。第１の無線減圧ドレッシングは：温度センサ、ｐＨセンサ、湿度センサ、揮発性有機化合物センサ、血液センサ、および成長因子センサからなる群から選択される第２のセンサをさらに含んでもよい。減圧源は、リモートベースユニットに結合されてもよく、およびリモートベースユニットは、減圧源に圧力制御信号を供給するように適合してもよい。減圧源およびリモートベースユニットは統合治療ユニットを含み得る。第２のプロセッサは、ＩＤ信号を受信しかつＩＤ信号が承認済みレッシングを表すかどうかを判断するように適合され得る。第１の無線減圧ドレッシングは、バッテリーを含まなくても機能し得る。第１の無線減圧ドレッシングは、第１の組織部位に隣接してもよく、および第２の組織部位に隣接した第２の無線減圧ドレッシングをさらに含んでもよい。
【００７７】
別の実施形態によれば、組織部位で使用するための無線減圧ドレッシングは、組織部位の少なくとも一部分を覆うシール部材と；第１のプロセッサと；第１のプロセッサに結合されたＲＦＩＤアンテナと；第１のプロセッサに結合された第１のセンサとを含む。第１のセンサは圧力センサとし得る。無線減圧ドレッシングは、第１のプロセッサに結合された第２のセンサをさらに含んでもよく、第２のセンサは：温度センサ、ｐＨセンサ、湿度センサ、揮発性有機化合物センサ、血液センサ、および成長因子センサからなる群から選択される。無線減圧ドレッシングは分配マニホールドをさらに含んでもよい。無線減圧ドレッシングは、減圧ドレッシングに流体的に結合された減圧源をさらに含んでもよい。
【００７８】
概して、本明細書では、システム、方法、およびドレッシングは、ドレッシングにおいてＲＦＩＤ装置を使用してリモートベースユニットに圧力データまたは他のデータを提供することを含むとして示される。ドレッシングは対話型ドレッシングである。ドレッシングにおける減圧は監視され、かつ減圧の供給の制御に使用し得る。一例では、各ドレッシングにおける圧力データによって、単一のリモートベースユニットのままで複数の組織部位を監視しかつ使用することが可能となる。別の例では、減圧ドレッシングとリモートベースユニットとの適切な組み合わせを保証する装置および方法も示す。他のシステム、方法、およびドレッシングも示す。
【００７９】
本発明およびその利点を、いくつかの説明に役立つ非限定的な実施形態に照らして説明したが、添付の特許請求の範囲によって定義された本発明の範囲から逸脱せずに、様々な変更、代用、交換、および修正をなすことができることを理解されたい。任意の一実施形態に関連して説明された任意の特徴はまた、任意の他の実施形態にも適用可能であることを理解されたい。
【００８０】
上述の利益および利点は、一実施形態に関連し得ること、またはいくつかの実施形態に関連し得ることを理解されたい。「１つの」品目への言及は、１つ以上のそれら品目を指すことをさらに理解されたい。
【００８１】
本明細書で説明した方法のステップは、任意の好適な順序で、または適切な場合には同時に実施し得る。
【００８２】
適切な場合には、上述の実施形態のいずれかの態様を、説明の任意の他の実施形態の態様と組み合わせて、類似のまたは異なる特性を有しかつ同じまたは異なる問題に対処する別の例を形成する。
【００８３】
好ましい実施形態の上述の説明は例示にすぎず、当業者は様々な修正をなし得ることを理解されたい。上述の明細書、例およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
2014500739.tif 000003
【図２】
2014500739.tif 000004
【図４】
2014500739.tif 000005
【図５】
2014500739.tif 000006
【図６Ａ】
2014500739.tif 000007
【図６Ｂ】
2014500739.tif 000008
【図３】
2014500739.tif 000009
【国際調査報告】
2014500739.tif 000010
2014500739.tif 000011
2014500739.tif 000012